(57)【要約】【課題】バックライトシャーシの強度を向上させると共に、バックライトシャーシの軽量化を図ることができるバックライト装置及び表示装置を提供する。【解決手段】発光管８を支持する支持板６０と、該支持板６０に対向する板状のシャーシ６１とを設け、該支持板６０及びシャーシ６１の間にハニカム構造の補強部材６２を設けてバックライトシャーシ６を形成し、また前記シャーシ６１の一部を、表示パネル１を支持するフロントキャビネット２に固定する構成とした。【選択図】図２
2008288047.tif 000002
【特許請求の範囲】
【請求項１】
発光管と、該発光管を支持するバックライトシャーシとを備え、該バックライトシャーシを、表示パネルの背面側に配置してあるバックライト装置において、
前記バックライトシャーシは、
前記発光管を前記表示パネル側に支持してある支持板と、
該支持板の前記表示パネル側と反対側に配置してあり、該支持板に対向するシャーシと、
該支持板及びシャーシの間に設けてあるハニカム構造の補強部材と
を有することを特徴とするバックライト装置。
【請求項２】
前記シャーシは、前記表示パネルを支持する枠部に固定される部分を備えることを特徴とする請求項１に記載のバックライト装置。
【請求項３】
前記支持板の端部を前記シャーシ側へ屈曲してなり、前記支持板及びシャーシの間を塞ぐ屈曲部を備えることを特徴とする請求項１又は２に記載のバックライト装置。
【請求項４】
光を反射する反射シートを前記発光管の周囲に設けてあり、
前記支持板の端部を前記表示パネル側へ屈曲してなり、前記反射シートを支持する支持部を備えることを特徴とする請求項１乃至３のいずれか一つに記載のバックライト装置。
【請求項５】
前記支持板及びシャーシを挟む挟持部材を備えることを特徴とする請求項１に記載のバックライト装置。
【請求項６】
前記挟持部材は、前記表示パネルを支持する枠部に固定される部分を備えることを特徴とする請求項５に記載のバックライト装置。
【請求項７】
光を反射する反射シートを前記発光管の周囲に設けてあり、
前記挟持部材は、前記反射シートを支持する支持台を有することを特徴とする請求項５又は６に記載のバックライト装置。
【請求項８】
表示パネルと、該表示パネルの背面側に設けてある請求項１乃至７のいずれか一つに記載のバックライト装置とを備えることを特徴とする表示装置。
【発明の詳細な説明】
【技術分野】
【０００１】
本発明は、バックライトシャーシの強度を向上させると共に、バックライトシャーシの軽量化を図ることができるバックライト装置及び表示装置に関する。
【背景技術】
【０００２】
従来、バックライト装置を有する表示装置は、発光管を支持するバックライトシャーシの背面に鋼鈑からなる補強金具を設け、バックライトシャーシの反り・撓みを防止していた（特許文献１参照）。また補強金具をバックライトシャーシの端部に設け、表示パネルを支持する枠部に前記補強金具を取付け、バックライトシャーシを前記枠部に固定していた。
【特許文献１】特開２００６−３０９３６号公報
【発明の開示】
【発明が解決しようとする課題】
【０００３】
従来のバックライト装置は、バックライトシャーシの反り・撓みに対応させて補強金具を設けており、多数の補強金具をバックライトシャーシに設ける場合には、表示装置の重量が増大する。また前記発光管はバックライトシャーシに設けてあるランプクリップにより支持してあり、該ランプクリップを挿入する挿入孔が前記バックライトシャーシに開設してあるので、該挿入孔を通ってバックライト装置の内部に埃が進入し、また該挿入孔から光が漏出するという問題があった。
【０００４】
本発明は斯かる事情に鑑みてなされたものであり、発光管を支持する支持板と、該支持板に対向するシャーシとを設け、該支持板及びシャーシの間にハニカム構造の補強部材を設けてバックライトシャーシを形成することにより、バックライトシャーシの強度を向上して、補強金具を削減し、バックライトシャーシの軽量化を図ることができるバックライト装置及び表示装置を提供することを目的とする。
【０００５】
また前記シャーシの一部を、前記表示パネルを支持する枠部に固定することにより、シャーシを枠部に固定するときに使用する前記補強金具を削減して、軽量化を図ることができるバックライト装置及び表示装置を提供することを目的とする。
【０００６】
また前記支持板の端部を前記シャーシ側へ屈曲してなり、前記支持板及びシャーシの間を塞ぐ屈曲部を設けることにより、前記支持板と前記補強部材との隙間、及びシャーシと補強部材との隙間から埃が進入することを防止し、また光が漏出することを防止して、前記発光管に埃が付着することを防ぎ、また光の漏出による利用者の不快感を防ぐことができるバックライト装置及び表示装置を提供することを目的とする。
【０００７】
また前記支持板の端部を前記表示パネル側へ屈曲してなり、前記発光管の周囲に設けてある反射シートを支持する支持部を設けることにより、反射シートを支持するための部品を削減し、軽量化を図ることができるバックライト装置及び表示装置を提供することを目的とする。
【０００８】
また前記支持板及びシャーシを挟む挟持部材を設けることにより、前記支持板、補強部材、及びシャーシを挟着して、前記支持板と前記補強部材との隙間、及びシャーシと補強部材との隙間から埃が進入することを防止し、また光が漏出することを防止して、前記発光管に埃が付着することを防ぎ、また光の漏出による利用者の不快感を防ぐことができるバックライト装置及び表示装置を提供することを目的とする。
【０００９】
また前記挟持部材を、前記表示パネルを支持する枠部に固定することにより、シャーシを枠部に固定するときに使用する前記補強金具を削減して、軽量化を図ることができるバックライト装置及び表示装置を提供することを目的とする。
【００１０】
また前記挟持部材に、前記反射シートを支持する支持台を設けることにより、反射シートを支持するための部品を削減し、軽量化を図ることができるバックライト装置及び表示装置を提供することを目的とする。
【課題を解決するための手段】
【００１１】
本発明に係るバックライト装置は、発光管と、該発光管を支持するバックライトシャーシとを備え、該バックライトシャーシを、表示パネルの背面側に配置してあるバックライト装置において、前記バックライトシャーシは、前記発光管を前記表示パネル側に支持してある支持板と、該支持板の前記表示パネル側と反対側に配置してあり、該支持板に対向するシャーシと、該支持板及びシャーシの間に設けてあるハニカム構造の補強部材とを有することを特徴とする。
【００１２】
本発明にあっては、発光管を支持する支持板と、該支持板に対向するシャーシとを設け、該支持板及びシャーシの間にハニカム構造の補強部材を設けてバックライトシャーシを形成することにより、バックライトシャーシの強度を向上し、補強金具を削減する。
【００１３】
本発明に係るバックライト装置は、前記シャーシは、前記表示パネルを支持する枠部に固定される部分を備えることを特徴とする。
【００１４】
本発明にあっては、前記シャーシの一部を、前記表示パネルを支持する枠部に固定することにより、シャーシを枠部に固定するときに使用する前記補強金具を削減する。
【００１５】
本発明に係るバックライト装置は、前記支持板の端部を前記シャーシ側へ屈曲してなり、前記支持板及びシャーシの間を塞ぐ屈曲部を備えることを特徴とする。
【００１６】
本発明にあっては、前記支持板の端部を前記シャーシ側へ屈曲してなり、前記支持板及びシャーシの間を塞ぐ屈曲部を設けることにより、前記支持板と前記補強部材との隙間、及びシャーシと補強部材との隙間から埃が進入することを防止し、また光が漏出することを防止する。
【００１７】
本発明に係るバックライト装置は、光を反射する反射シートを前記発光管の周囲に設けてあり、前記支持板の端部を前記表示パネル側へ屈曲してなり、前記反射シートを支持する支持部を備えることを特徴とする。
【００１８】
本発明にあっては、前記支持板の端部を前記表示パネル側へ屈曲してなり、前記発光管の周囲に設けてある反射シートを支持する支持部を設けることにより、反射シートを支持するための部品を削減する。
【００１９】
本発明に係るバックライト装置は、前記支持板及びシャーシを挟む挟持部材を備えることを特徴とする。
【００２０】
本発明にあっては、前記支持板及びシャーシを挟む挟持部材を設けることにより、前記支持板、補強部材、及びシャーシを挟着し、前記支持板と前記補強部材との隙間、及びシャーシと補強部材との隙間から埃が進入することを防止し、また光が漏出することを防止する。
【００２１】
本発明に係るバックライト装置は、前記挟持部材は、前記表示パネルを支持する枠部に固定される部分を備えることを特徴とする。
【００２２】
本発明にあっては、前記挟持部材を、前記表示パネルを支持する枠部に固定することにより、シャーシを枠部に固定するときに使用する前記補強金具を削減する。
【００２３】
本発明に係るバックライト装置は、光を反射する反射シートを前記発光管の周囲に設けてあり、前記挟持部材は、前記反射シートを支持する支持台を有することを特徴とする。
【００２４】
本発明にあっては、前記挟持部材に、前記反射シートを支持する支持台を設けることにより、反射シートを支持するための部品を削減する。
【００２５】
本発明に係る表示装置は、表示パネルと、該表示パネルの背面側に設けてあるいずれか一つの前記バックライト装置を備えることを特徴とする。
【００２６】
本発明にあっては、表示パネルの背面側に、いずれか一つの前記バックライト装置を設けることにより、バックライトシャーシの強度を向上させると共に、表示装置を軽量化する。
【発明の効果】
【００２７】
本発明に係るバックライト装置においては、発光管を支持する支持板と、該支持板に対向するシャーシとを設け、該支持板及びシャーシの間にハニカム構造の補強部材を設けてバックライトシャーシを形成することにより、バックライトシャーシの強度を向上し、補強金具を削減して、バックライトシャーシの軽量化を図ることができる。
【発明を実施するための最良の形態】
【００２８】
（実施の形態１）
以下本発明を実施の形態１に係るバックライト装置及び表示装置を示す図面に基づいて詳述する。図１は実施の形態１に係る液晶表示装置を示す外観図、図２は図１のＩＩ−ＩＩ線での模式的断面図、図３はバックライト装置の要部構成を示す模式的分解斜視図である。
【００２９】
図において１は表示パネルであり、該表示パネル１は、枠状のフロントキャビネット２により支持してある。該フロントキャビネット２にはリアキャビネット３を取付けてある。
【００３０】
前記表示パネル１の背面側に、光を均一に拡散する拡散板４を設けてあり、該拡散板４の背面側にバックライト装置５を設けてある。該バックライト装置５はバックライトシャーシ６と、該バックライトシャーシ６に設けてある複数のランプクリップ７、７、・・・と、該ランプクリップ７、７、・・・に支持してある複数の発光管８、８、・・・とを備えている。
【００３１】
前記バックライトシャーシ６は、前記発光管８、８、・・・を支持する支持板６０と、該支持板６０に対向する板状のシャーシ６１と、該支持板６０及びシャーシ６１の間に設けてあるハニカム構造の補強部材６２とを備える。
【００３２】
前記支持板６０に、前記ランプクリップ７、７、・・・を挿通する複数の挿通孔６０ａ、６０ａ、・・・を開設してあり、前記ランプクリップ７、７、・・・を設けてある面は、前記拡散板４を介して前記表示パネル１に対向しており、該面に光を反射するトレー状の反射シート９を設けてある。該反射シート９は、前記ランプクリップ７、７、・・・に対応する位置に貫通孔を設けてあり、前記ランプクリップ７、７、・・・を該貫通孔に通してある。また前記反射シート９は鍔部９ａを有しており、該鍔部９ａは前記支持板６０に対向しない位置にある。
【００３３】
前記シャーシ６１の一側は外向きに適長延長しており、該延長部分は前記反射シート９の鍔部９ａと、前記フロントキャビネット２とに対向しており、両者に対向する部分にビス１０、１０を挿通する二つの孔部６１ａ、６１ｂをそれぞれ開設してある。前記鍔部９ａと前記シャーシ６１との間に、前記反射シート９を支持する棒状のシート支持部材１１を設けてあり、前記ビス１０を前記孔部６１ａに挿通して、前記シート支持部材１１に螺着し、シート支持部材１１を前記鍔部９ａに圧着してある。また前記ビス１０を前記孔部６１ｂに挿通して、前記フロントキャビネット２に螺着し、前記シャーシ６１をフロントキャビネット２に固定してある。
【００３４】
実施の形態１に係るバックライト装置５及び表示装置においては、発光管８、８、・・・を支持する支持板６０と、該支持板６０に対向するシャーシ６１とを設け、該支持板６０及びシャーシ６１の間にハニカム構造の補強部材６２を設けてバックライトシャーシ６を形成することにより、バックライトシャーシ６の強度を向上し、補強金具を削減して、バックライトシャーシ６の軽量化を図ることができる。
【００３５】
また前記シャーシ６１の一部を、前記表示パネル１を支持するフロントキャビネット２に固定することにより、シャーシ６１をフロントキャビネット２に固定するときに使用する前記補強金具を削減して、バックライト装置５の軽量化を図ることができる。
【００３６】
（実施の形態２）
以下本発明を実施の形態２に係るバックライト装置及び表示装置を示す図面に基づいて詳述する。図４は図１のＩＶ−ＩＶ線での模式的断面図、図５は支持板を示す模式的斜視図である。
【００３７】
支持板６０の端部をシャーシ６１側に折り曲げて、シャーシ６１に略直角な部分を形成し、更にシャーシ６１に略直角な部分の端部がシャーシ６１に平行になるように折り曲げて、クランク状の屈曲部６０ｂを形成してある。該屈曲部６０ｂのシャーシ６１に略平行な部分に、シャーシ６１に開設してある複数の孔部６１ａに対応する貫通孔６０ｃを開設してあり、前記ビス１０を前記孔部６１ａ及び貫通孔６０ｃに挿通して、前記シート支持部材１１に螺着し、前記支持板６０及びシャーシ６１を密着してある。前記屈曲部６０ｂの、シャーシ６１に略直角な部分により前記支持板６０及びシャーシ６１の間を塞いである。
【００３８】
実施の形態２に係るバックライト装置５及び表示装置においては、前記支持板６０の端部を前記シャーシ６１側へ屈曲してなり、前記支持板６０及びシャーシ６１の間を塞ぐ屈曲部６０ｂを設けることにより、前記支持板６０と前記補強部材６２との隙間、及びシャーシ６１と補強部材６２との隙間から埃が進入することを防止し、また光が漏出することを防止して、前記発光管８、８、・・・に埃が付着することを防ぎ、光の漏出による利用者の不快感を防ぐことができる。
【００３９】
実施の形態２に係るバックライト装置５及び表示装置の構成の内、実施の形態１と同様な構成については、実施の形態１と同じ符号を付し、その詳細な説明を省略する。
【００４０】
（実施の形態３）
以下本発明を実施の形態３に係るバックライト装置及び表示装置を示す図面に基づいて詳述する。図６は図１のＶＩ−ＶＩ線での模式的断面図、図７は支持板を示す模式的斜視図である。
【００４１】
支持板６０の端部を反射シート９側に折り曲げて、反射シート９に略直角な部分を形成し、更に、反射シート９に略直角な部分の端部が反射シート９に略平行になるように折り曲げて、反射シート９を支持するクランク状の複数の支持部６０ｄ、６０ｄ、・・・を形成してあり、支持部６０ｄ、６０ｄ、・・・の間には複数の屈曲部６０ｂ、６０ｂ、・・・を形成してある。該支持部６０ｄ、６０ｄ、・・・の反射シート９に平行な先端部分が前記鍔部９ａを支持して、反射シート９を支持してある。前記孔部６１ａ及び貫通孔６０ｃに雌ねじを設けてあり、ビス１０を前記孔部６１ａ及び貫通孔６０ｃに螺着して、前記支持板６０及びシャーシ６１を密着してある。
【００４２】
なお屈曲部６０ｂ、６０ｂ、・・・の形状はクランク状に限られず、コの字状であっても良く、反射シート９を支持することができる形状であれば良い。
【００４３】
実施の形態３に係るバックライト装置５及び表示装置においては、前記支持板６０の端部を反射シート９側へ屈曲してなり、前記発光管８、８、・・・の周囲に設けてある反射シート９を支持する支持部６０ｄ、６０ｄ、・・・を設けることにより、反射シート９を支持するための部品を削減し、バックライト装置５及び表示装置の軽量化を図ることができる。
【００４４】
実施の形態３に係るバックライト装置５及び表示装置の構成の内、実施の形態１又は２と同様な構成については、実施の形態１又は２と同じ符号を付し、その詳細な説明を省略する。
【００４５】
（実施の形態４）
以下本発明を実施の形態４に係るバックライト装置及び表示装置を示す図面に基づいて詳述する。図８は図１のＶＩＩＩ−ＶＩＩＩ線での模式的断面図、図９はバックライト装置の要部構成を示す模式的分解斜視図である。
【００４６】
支持板６０と略同寸のシャーシ６１が、前記支持板６０の背面側に設けてあり、前記支持板６０及びシャーシ６１の端部に、貫通孔６０ｅ、６１ｃが位置を整合させてそれぞれ開設してある。
【００４７】
前記支持板６０及びシャーシ６１の端部に、支持板６０及びシャーシ６１を挟む挟持部材１５を設けてある。該挟持部材１５は、前記フロントキャビネット２に対向させて配置して、前記フロントキャビネット２に固定する矩形の固定板１５ａと、該固定板１５ａの両端部分にそれぞれ二つの切込みを入れ、両端部分を前記フロントキャビネット２側に折り曲げて、該固定板１５ａに対し略直角にし、更に、折り曲げた部分の先端部分が固定板１５ａに対し略平行になるように折り曲げてなる断面コの字形の二つの挟持部１５ｂ、１５ｂとを備える。該挟持部１５ｂの前記固定板１５ａに平行な部分に、前記貫通孔６０ｅに対応する孔部１５ｅ及び前記貫通孔６１ｃに対応する雌ねじ状のビス孔１５ｃをそれぞれ開設してある。
【００４８】
図８に示す如く、前記挟持部１５ｂの間にて、前記支持板６０及びシャーシ６１の端部を挟み、前記孔部１５ｃ及び貫通孔６０ｅ、６１ｃにビス１２を挿通し、前記ビス孔１５ｅに螺着して、前記支持板６０、補強部材６２及びシャーシ６１を挟着している。また前記固定板１５ａに開設してある孔部１５ｄ、１５ｄにビス１０、１０を挿通し、前記フロントキャビネット２に螺着して、前記固定板１５ａを前記フロントキャビネット２に固定してある。
【００４９】
実施の形態４に係るバックライト装置５及び表示装置においては、前記支持板６０及びシャーシ６１を挟む挟持部材１５を設けることにより、前記支持板６０、補強部材６２、及びシャーシ６１を挟着し、前記支持板６０と前記補強部材６２との隙間、及びシャーシ６１と補強部材６２との隙間から埃が進入することを防止し、また光が漏出することを防止して、前記発光管８、８、・・・に埃が付着することを防ぎ、光の漏出による利用者の不快感を防ぐことができる。
【００５０】
実施の形態４に係るバックライト装置５及び表示装置の構成の内、実施の形態１乃至３と同様な構成については、実施の形態１乃至３と同じ符号を付し、その詳細な説明を省略する。
【００５１】
（実施の形態５）
以下本発明を実施の形態５に係るバックライト装置及び表示装置を示す図面に基づいて詳述する。図１０は図１のＸ−Ｘ線での模式的断面図、図１１は挟持部材の外観を示す斜視図である。
【００５２】
前記固定板１５ａの一端部に前記挟持部１５ｂを形成してあり、他端部に前記反射シート９を支持する支持台１５ｆを形成してある挟持部材１５がある。前記支持台１５ｆは、該固定板１５ａの他端部に切込みを入れ、該他端部を前記フロントキャビネット２側に折り曲げて、該固定板１５ａに対し略直角にし、更に、折り曲げた部分の先端部分が固定板１５ａに対し略平行になるように折り曲げて、断面コの字形に形成してある。図１０にて示す如く、前記支持台１５ｆの前記固定板１５ａに略直角な部分の長さは、前記挟持部１５ｂの前記固定板１５ａに直角な部分の長さよりも長くしてあり、また支持台１５ｆの、固定板１５ａに対し略平行になるように折り曲げた部分は前記鍔部９ａに対向しており、前記鍔部９ａは前記支持台１５ｆにより支持される。
【００５３】
実施の形態５に係るバックライト装置５及び表示装置においては、前記挟持部材１５に、前記反射シート９を支持する支持台１５ｆを設けることにより、反射シート９を支持するための部品を削減し、バックライト装置５の軽量化を図ることができる。
【００５４】
実施の形態５に係るバックライト装置及び表示装置の構成の内、実施の形態１乃至４と同様な構成については、実施の形態１乃至４と同じ符号を付し、その詳細な説明を省略する。
【図面の簡単な説明】
【００５５】
【図１】実施の形態１に係る液晶表示装置を示す外観図である。
【図２】図１のＩＩ−ＩＩ線での模式的断面図である。
【図３】実施の形態１に係るバックライト装置の要部構成を示す模式的分解斜視図である。
【図４】図１のＩＶ−ＩＶ線での模式的断面図である。
【図５】実施の形態２に係る液晶表示装置の支持板を示す模式的斜視図である。
【図６】図１のＶＩ−ＶＩ線での模式的断面図である。
【図７】実施の形態３に係る液晶表示装置の支持板を示す模式的斜視図である。
【図８】図１のＶＩＩＩ−ＶＩＩＩ線での模式的断面図である。
【図９】実施の形態４に係るバックライト装置の要部構成を示す模式的分解斜視図である。
【図１０】図１のＸ−Ｘ線での模式的断面図である。
【図１１】実施の形態５に係る液晶表示装置の挟持部材の外観を示す斜視図である。
【符号の説明】
【００５６】
１  表示パネル
２  フロントキャビネット（枠部）
５  バックライト装置
６  バックライトシャーシ
７  ランプクリップ
８  発光管
９  反射シート
９ａ  鍔部
１５  挟持部材
１５ａ  固定板
１５ｂ  挟持部
１５ｆ  支持台
６０  支持板
６０ａ  挿通孔
６０ｂ  屈曲部
６０ｄ  支持部
６１  シャーシ
６２  補強部材
【図１】
2008288047.tif 000003
【図２】
2008288047.tif 000004
【図３】
2008288047.tif 000005
【図４】
2008288047.tif 000006
【図５】
2008288047.tif 000007
【図６】
2008288047.tif 000008
【図７】
2008288047.tif 000009
【図８】
2008288047.tif 000010
【図９】
2008288047.tif 000011
【図１０】
2008288047.tif 000012
【図１１】
2008288047.tif 000013